(57)【要約】【課題】左右羽根は通風抵抗となる傾向が強くなり、同時に風向き変更の効果も減少の傾向にある。【解決手段】空気調和機の本体１は、吸気口１０と、熱交換器２と、吸気口１０より室内の空気を取り入れて熱交換器２で熱交換された空気を吹き出し口１１より吹き出す送風ファン３と、スタビライザ４とリアガイダ５と側壁１２とからなり送風ファン３と吹き出し口１１を連通する送風回路１３と、断面が略円弧状で、吹き出し口１１から吹き出される空気の上下方向の向きを制御する上下羽根６とを備え、左右方向の向きを制御する左右羽根７ａ，７ｂを、送風回路１３と上下羽根６とにそれぞれ備えることにより、上流部にある風上側左右羽根７ａと下流部にある風下側左右羽根７ｂとで、円滑にかつ効果的に気流を吹き分けることができる。【選択図】図１
2009192134.tif 000002
【特許請求の範囲】
【請求項１】
熱交換器を内蔵した本体と、前記熱交換器で熱交換された空気を吹き出し口から吹き出す送風ファンと、スタビライザとリアガイダと側壁とから構成され前記送風ファンと吹き出し口とを連通する送風回路と、前記吹き出し口から吹き出される空気の上下方向の向きを変更する上下羽根と、吹き出される空気の左右方向の向きを変更する左右羽根とを備え、前期左右羽根を前記吹き出し口と前記上下羽根とに配置することを特徴とする空気調和機。
【請求項２】
前記吹き出し口と前記上下羽根に配置された左右羽根を、空気を所定の方向に集めるために左右羽根を駆動して、吹き出し口から上下羽根に至り左右羽根により、送風路を縮小型ノズル形状にすることを特徴とする請求項１に記載の空気調和機。
【請求項３】
前記吹き出し口と前記上下羽根に配置された左右羽根を、空気を拡散させるために左右羽根を駆動して、吹き出し口から上下羽根に至り左右羽根により、送風路を拡大型ノズル形状にすることを特徴とする請求項１に記載の空気調和機。
【請求項４】
前記吹き出し口から吹き出された空気の左右方向での向きを変更する左右羽根を備えた上下羽根を前記送風回路の外に配置することを特徴とする請求項１から３のいずれか１項に記載の空気調和機。
【請求項５】
前記左右羽根を備えた上下羽根の前縁又は後縁をリアガイダの先端と同一高さ、もしくは本体の底面よりも下方に配置することを特徴とする請求項１から４のいずれか１項に記載の空気調和機。
【請求項６】
前記左右羽根を備えた上下羽根をリアガイダの延長として用いることを特徴とする請求項１から５のいずれか１項に記載の空気調和機。
【発明の詳細な説明】
【技術分野】
【０００１】
本発明は空気調和機に関するものである。
【背景技術】
【０００２】
従来の空気調和機において、室内ユニットの吹き出し口における風向きを左右方向に変化させる複数の左右羽根の形状および配置を最適化することにより、吹き出し口における風速を高めて吹き出し流の到達性を良くし、居住空間の快適性の向上を図るようにしている技術がある（例えば、特許文献１参照）。
【０００３】
図９は従来の空気調和機の室内ユニットの部分垂直断面図、図１０は吹き出し口の平面断面図である。図９において、室内ユニットは、前面カバー１０１と、前面カバー１０１に設けられた空気の吸い込み口１０２と、熱交換器１０３と、送風ファン１０４と、送風ファン１０４の周囲にあり送風路１０７を形成するリアガイダ１０５と、送風ファン１０４に近接しリアガイダ１０５とで送風路１０７を形成するスタビライザ１０６と、送風路１０７の先端にある風の吹き出し口１０８と、吹き出し口１０８における風向きを垂直方向（上下方向）に変化させるために軸を中心に上下に回転する上下羽根１０９と、１０は吹き出し口１０８における風向きを水平方向（左右方向）に変化させるために軸を中心に左右に回転する複数からなる左右羽根１１０とを備えている。
【０００４】
図１０において、１０８ａは吹き出し口１０８の中央部分、１０８ｂは吹き出し口１０８の両端部分、１１０ａは吹き出し口中央部分１０８ａに位置する左右羽根、１１０ｂは吹き出し口両端部分１０８ｂに位置する左右羽根である。左右羽根１１０（吹き出し口中央部分の左右羽根１１０ａ、吹き出し口両端部分の左右羽根１１０ｂ共）は、吹き出し口１０８の長手方向に対して平行に配置され、その羽根の面は真っ直ぐ垂直である。そして、吹き出し口中央部分の左右羽根１１０ａは、真っ直ぐ正面に空気が放出されるような向きに向いている。一方、吹き出し口両端部分の左右羽根１１０ｂは、回転して吹き出し口の両端部分１０８ｂを遮蔽している。
【０００５】
図９を用いて空気の流れを説明する。室内空気は、前面カバー１０１に設けられた吸い込み口１０２から吸い込まれ、熱交換器１０３を通過して送風ファン１０４に吸い込まれる。送風ファン１０４に吸い込まれた空気は、送風路１０７を通過して吹き出し口１０８から放出される。
【０００６】
図１０に示すように、吹き出し口１０８の両端部分１０８ｂに位置する左右羽根１１０ｂが回転すると、吹き出し口の両端部分１０８ｂをフラットに遮蔽することになり、吹き出し口中央部分１０８ａへの送風路を形成することになる。風は吹き出し口両端部分（遮蔽された部分）１０８ｂからは吹き出し難く、吹き出し口の中央部分１０８ａに収束する。そして、風は、吹き出し口が遮蔽されていなくて送風抵抗が少ない吹き出し口中央部分の左右羽根１１０ａの間を通って、吹き出し口の中央部分１０８ａから吹き出されることになる。
【０００７】
ここで、仮に、吹き出し口両端部分の左右羽根１１０ｂを、回転時に羽根の一部が重なるように配置したとすると、風は吹き出し口両端部分（遮蔽された部分）１０８ｂからはさらに吹き出し難くなり、吹き出し口の中央部分１０８ａへの収束率が高まる。そして、中央部分の吹き出し口１０８ａから吹き出される風の速度は、増大することになる。
【０００８】
このように、同一風量を保持するとしたら、吹き出し口１０８の断面積減少にともない
風速が増大することになる。
【０００９】
従来は、このようにして、左右羽根１１０を回転させて吹き出し口１０８の一部を遮蔽することにより、居住空間に向けて集中的に空気の流れを形成していた。
【特許文献１】特開平１０−２５３１４３号公報
【発明の開示】
【発明が解決しようとする課題】
【００１０】
しかしながら、上記にように、単に吹き出し口両端部分の左右羽根１１０ｂを回転させて吹き出し口の両端部分１０８ｂを遮蔽することで吹き出し口中央部分１０８ａへの空気の流れを形成する、という風向装置を有する空気調和機の室内ユニットにおいては、もともと吹き出し口の両端部分１０８ｂでは、中央部分１０８ａに比べると空気の流れが悪く、空気が溜りがちであった。
【００１１】
それで、吹き出し口両端部分１０８ｂに位置する左右羽根１１０ｂが回転して吹き出し口両端部分１０８ｂを遮蔽した場合には、吹き出し口両端部分１０８ｂでの空気の流れがますます悪くなり、空気がその位置に溜まってしまうため、風を送ってくる送風ファン１０４側にも大きな負荷がかかり、送風ファン１０４特有のバサツキによる異常音が生じ易かった。
【００１２】
また、左右羽根１１０は吹き出し口１０８の開口面に対して平行に配置されていて、その羽根の面も傾斜していないので、吹き出し口両端部分１０８ｂに位置する左右羽根１１０ｂが回転した時には、吹き出し口両端部分１０８ｂをフラットに遮蔽することになり、そのために、流れの集中した吹き出し口中央部分１０８ａで衝突流が生じたり、吹き出し口両端部分（遮蔽部分）１０８ｂと吹き出し口中央部分（吹き出し部分）１０８ａの境界で巻き込み流が発生したりして、風速が低下することになる。そのため、風量を収束させ集中的に人のいる部分や床面の一部分に到達させる効果が充分発揮できなかった。
【００１３】
また、左右羽根１１０を単に回転させて吹き出し口１０８を遮蔽するという方法では、左右羽根１１０の形状や、複数の左右羽根１１０を連動させるための連結部分の形状や連結方法を工夫しない限り、左右羽根１１０を回転して遮蔽する時、左右羽根と左右羽根の間に隙間ができて、つまり、遮蔽したい部分に隙間ができて、吹き出し口１０８を完全に遮蔽することができず、漏れ流れが生じて、十分に風量を収束させることが難しかった。
【００１４】
本発明は上記従来の課題を解決するもので、左右羽根による空気の流れを円滑にし、空気の流れを左右に吹き分けたり、空気の流れの速度を上げて集中的に人のいる部分や床面の一部分に到達させたりして、居住空間の快適性向上を図る空気調和機の室内ユニットを提供することを目的とするものである。
【課題を解決するための手段】
【００１５】
前記従来の課題を解決するために、本発明の空気調和機は、熱交換器を内蔵した本体と、前記熱交換器で熱交換された空気を吹き出し口から吹き出す送風ファンと、スタビライザとリアガイダと側壁とから構成され前記送風ファンと吹き出し口とを連通する送風回路と、前記吹き出し口から吹き出される空気の上下方向での向きを変更する上下羽根と、吹き出される空気の左右方向での向きを変更する左右羽根とを備え、前期左右羽根を前記吹き出し口と前記上下羽根とに配置することを特徴とする。
【００１６】
これによって、吹き出し口に備え付けられた左右羽根によって、吹き出された空気が左右方向に変更され、さらに上下羽根に備え付けられた左右羽根により、左右の変更の効果が助長される。
【発明の効果】
【００１７】
吹き出される空気の変更方向（左方向、右方向、左右拡散方向、中央集中方向）を円滑に、効果的に行うことができ、居住空間の快適性向上を図る空気調和機の室内ユニットを提供することを目的とするものである。
【発明を実施するための最良の形態】
【００１８】
第１の発明は、熱交換器を内蔵した本体と、前記熱交換器で熱交換された空気を吹き出し口から吹出す送風ファンと、スタビライザとリアガイダと側壁とから構成され前記送風ファンと吹き出し口とを連通する送風回路と、前記吹き出し口から吹き出される空気の上下方向での向きを変更する上下羽根と、吹き出される空気の左右方向での向きを変更する左右羽根とを備え、前期左右羽根を前記吹き出し口と前記上下羽根とに配置する。
【００１９】
これによって、吹き出し口に備え付けられた左右羽根によって、吹き出された空気が左右方向に変更され、さらに上下羽根に備え付けられた左右羽根により、左右の変更の効果が助長される。上流部にある左右羽根と下流部にある左右羽根とで、円滑にかつ効果的に気流を吹き分けることができ、居住空間の快適性を向上することができる。
【００２０】
第２の発明は、前記吹き出し口と前記上下羽根に配置された左右羽根を、空気を所定の方向に集めるために左右羽根を駆動して、吹き出し口から上下羽根に至り左右羽根により、送風路を縮小型ノズル形状にすることである。これによって、所定の方向に気流を集中することにより、風速を上昇させて床面到達性を向上させることができる。
【００２１】
第３の発明は、前記吹き出し口と前記上下羽根に配置された左右羽根を、空気を拡散させるために左右羽根を駆動して、吹き出し口から上下羽根に至り左右羽根により、送風路を拡大型ノズル形状にすることである。これによって、気流を左右に拡散させることにより、空調される居住空間を包み込むように空調され、快適な環境を提供することができる。
【００２２】
第４の発明は、前記吹き出し口から吹き出された空気の左右方向での向きを変更する左右羽根を備えた上下羽根を前記送風回路の外に配置する。これによって、吹き出し口から吹き出された空気が減速して上下羽根に衝突するので、上下羽根の通風抵抗が小さくなり、効果的に左右方向に気流を変更することができる。
【００２３】
第５の発明は、前記左右羽根を備えた上下羽根の前縁又は後縁をリアガイダの先端と同一高さ、もしくは本体の底面よりも下方に配置する。送風ファンからの風が上下羽根の前縁や後縁に衝突することがないので、空気の衝突によるロスがなくなり、送風性能を向上させることができる。同時に左右羽根の風向変更の効果が顕著になる。
【００２４】
第６の発明は、前記左右羽根を備えた上下羽根をリアガイダの延長として用いる。リアガイダの先端における接線方向と平行もしくはそれよりも吹き出し口が広がる角度に位置するようにしたもので、リアガイダの先端から上下羽根へ吹き出す風が乱れにくくなり、送風性能が向上することになる。さらには、左右羽根の風向変更の効果が顕著になる。
【００２５】
以下、本発明の実施の形態について、図面を参照しながら説明する。なお、この実施の形態によって本発明が限定されるものではない。
【００２６】
（実施の形態１）
図１は、本発明の第１の実施の形態における空気調和機の断面図、図２は、同空気調和機の上下羽根の動作例を示す断面図、図３は、同空気調和機の上下羽根の上に配置された
左右羽根の動作例を示す模式図である。
【００２７】
同図において、空気調和機の本体１は、吸気口１０と、熱交換器２と、吸気口１０より室内の空気を取り入れ、熱交換器２で熱交換された空気を吹き出し口１１より吹き出す送風ファン３と、スタビライザ４とリアガイダ５からなり送風ファン３と吹き出し口１１を連通する送風回路１３と、断面が略円弧状で、吹き出し口１１から吹き出された空気の上下方向の向きを制御する上下羽根６と、左右方向の向きを制御する風上側左右羽根７ａがスタビライザ４に、風下側左右羽根７ｂが上下羽根６に備え付けてある。なお、風上側左右羽根７ａはリアガイダ５に設けても良い。
【００２８】
図３（ａ）と図３（ｂ）を用いて空気の流れを説明する。まず、図３（ａ）では長手方向の中央を境として左右に吹き分ける状態を示している。ここでは、空気の流れの上流部となるスタビライザ４に設けた風上側左右羽根７ａを、所望の流れの方向に対して半分程度まで方向を変えるように設定する。そして、下流部となる上下羽根６の風下側左右羽根７ｂを、流れが所望の方向になるように設定する。
【００２９】
これによって、スタビライザ４に備え付けられた風上側左右羽根７ａによって、吹き出された空気が左右方向に変更され、さらに上下羽根６に備え付けられた左右羽根７ｂにより、左右の変更の効果が助長される。このようにして、上流部にある風上側左右羽根７ａと下流部にある風下側左右羽根７ｂとで、円滑にかつ効果的に気流を吹き分けることができる。
【００３０】
なお、図３（ａ）では空気の流れを左右方向に振り分けたが、左方向又は右方向のいずれか一方向に変更するときも風上側左右羽根７ａと風下側左右羽根７ｂとを同様の考え方で設定することで、円滑にかつ効果的に気流を吹き分けることができる。
【００３１】
次に、図３（ｂ）では長手方向の中央に空気の流れを集めて風速を上げて吹き出す状態を示している。ここでは、空気の流れの上流部となるスタビライザ４に設けた風上側左右羽根７ａと下流部となる上下羽根６の風下側左右羽根７ｂとのそれぞれの位置においても設定する角度を変えている。すなわち、両端側では円滑に中央方向へ空気の流れを変更するようにし、中央側では集まってきた流れを円滑に前方に変更するようにしているもので、両端側では風下側左右羽根７ｂの方が風上側左右羽根７ａより曲げる角度を大きくし、中央川では風下側左右羽根７ｂの方が風上側左右羽根７ａより角度を小さく正面を向くようにして、風下側左右羽根７ｂの方が風上側左右羽根７ａより両端側と中央側の角度の変化を大きく設定している。
【００３２】
これによって、上流部にある風上側左右羽根７ａと下流部にある風下側左右羽根７ｂとで、円滑にかつ効果的に気流を前方に風速を上げて吹き出すことができる。
【００３３】
このようにして、左右羽根による空気の流れを円滑にし、空気の流れを左右に吹き分けたり、空気の流れの速度を上げて集中的に人のいる部分や床面の一部分に到達させたりして、居住空間の快適性向上を図る空気調和機の室内ユニットを提供することができる。
【００３４】
（実施の形態２）
図４は、本発明の第２の実施の形態における空気調和機の上下羽根の上に配置された左右羽根の動作例を示す模式図である。
【００３５】
第２の発明は、リアガイダ４と上下羽根６に配置された左右羽根７ａ、７ｂを、空気を中央に集めるために左右羽根を駆動して、吹き出し口から上下羽根に至り左右羽根７ａ、７ｂにより、送風路を縮小型ノズル形状にすることである。
【００３６】
これによって、中央部に気流を集中することにより、風速を上昇させて床面到達性を向上させることができる。
【００３７】
（実施の形態３）
図５は、本発明の第３の実施の形態における空気調和機の上下羽根の上に配置された左右羽根の動作例を示す模式図である。
【００３８】
第３の発明は、リアガイダ４と上下羽根６に配置された左右羽根７ａ、７ｂを、空気を左右に拡散させるために左右羽根を駆動して、吹き出し口から上下羽根に至り左右羽根７により、送風路を拡大型ノズル形状にすることである。
【００３９】
これによって、気流を左右に拡散させることにより、空調される被居室空間を包み込むように空調され、快適な環境を提供することができる。
【００４０】
（実施の形態４）
図６は、本発明の第４の実施の形態における空気調和機の上下羽根の動作例を示す断面図である。前記吹き出し口から吹き出された空気の上下方向での向きを変更する左右羽根７を備えた上下羽根６を前記送風回路の外に配置する。
【００４１】
これによって、吹き出し口から吹き出された空気が減速して上下羽根６に衝突するので、上下羽根６の通風抵抗が小さくなり、効果的に左右方向に気流を変更することができる。
【００４２】
（実施の形態５）
図７は、本発明の第５の実施の形態における空気調和機の上下羽根の動作例を示す断面図である。左右羽根７を備えた上下羽根６の前縁又は後縁をリアガイダの先端と同一高さ、もしくは本体の底面よりも下方に配置する。
【００４３】
送風ファン３からの風が上下羽根の前縁や後縁に衝突することがないので、空気の衝突によるロスがなくなり、送風性能を向上させることができる。同時に左右羽根の風向変更の効果が顕著になる。
【００４４】
（実施の形態６）
図８は、本発明の第６の実施の形態における空気調和機の上下羽根の動作例を示す断面図である。左右羽根７を備えた上下羽根６をリアガイダ５の延長として用いる。
【００４５】
リアガイダ５の先端における接線方向と平行もしくはそれよりも吹き出し口が広がる角度に位置するようにしたもので、リアガイダ５の先端から上下羽根６へ吹き出す風が乱れにくくなり、送風性能が向上することになる。さらには、左右羽根７の風向変更の効果が顕著になる。
【産業上の利用可能性】
【００４６】
以上のように、本発明にかかる空気調和機は、吹き出される空気の変更方向（左方向、右方向、左右拡散方向、中央集中方向）を円滑に、効果的に行うことができ、居住空間の快適性向上を図ることが可能となるので、壁掛形室内機に限らず天吊形室内機や床置形室内機等にも適用でき、また、空気清浄機やファンヒーターなどの用途にも適用できる。
【図面の簡単な説明】
【００４７】
【図１】本発明の実施の形態１における空気調和機の断面図
【図２】本発明の実施の形態１における空気調和機の上下羽根の動作例を示す断面図
【図３】本発明の実施の形態１における空気調和機の左右羽根の動作例を示す模式図で、（ａ）長手方向の中央を境として左右に吹き分ける状態の模式図、（ｂ）長手方向の中央に空気の流れを集めて風速を上げて吹き出す状態の模式図
【図４】本発明の実施の形態２における空気調和機の左右羽根の動作例を示す模式図
【図５】本発明の実施の形態３における空気調和機の左右羽根の動作例を示す模式図
【図６】本発明の実施の形態４における空気調和機の上下羽根の動作例を示す断面図
【図７】本発明の実施の形態５における空気調和機の上下羽根の動作例を示す断面図
【図８】本発明の実施の形態６における空気調和機の上下羽根の動作例を示す断面図
【図９】従来の空気調和機の室内ユニットの部分垂直断面図
【図１０】同室内ユニットの吹き出し口の平面断面図
【符号の説明】
【００４８】
１  本体
２  熱交換器
３  送風ファン
４  スタビライザ
５  リアガイダ
６  上下羽根
６ａ  前縁
６ｂ  後縁
７  左右羽根
７ａ  リアガイダ装着の左右羽根
７ｂ  上下羽根装着の左右羽根
８  接線方向
９  直線
１０  吸気口
１１  吹き出し口
１２  側壁
１３  送風回路
１４  接線
【図１】
2009192134.tif 000003
【図２】
2009192134.tif 000004
【図３】
2009192134.tif 000005
【図４】
2009192134.tif 000006
【図５】
2009192134.tif 000007
【図６】
2009192134.tif 000008
【図７】
2009192134.tif 000009
【図８】
2009192134.tif 000010
【図９】
2009192134.tif 000011
【図１０】
2009192134.tif 000012